(57)【要約】【課題】水洗トイレの手洗い付きロータンクの手洗い部に載置することにより、ロータンク内に薬剤を供給することができ、かつ使用後に薬液タンク内に残留する希釈残液を簡単に廃液することのできる薬液供給具を提供する。【解決手段】薬液供給具１００Ａが、液状の薬剤Ａを収容する薬液タンク１及び薬液タンク１の底部開口部２に取り付けられるキャップ３からなり、このキャップ３の開口部から水洗トイレの手洗い付きロータンクに薬剤Ａが供給される。薬液供給具１００Ａには、薬液タンク１内を大気圧に開放することにより、薬液タンク１内に残った残液を排出する残液排出手段が設けられる。【選択図】　　図１
2004132096.tif 000002
【特許請求の範囲】
【請求項１】
液状の薬剤を収容する薬液タンク及び薬液タンクの底部開口部に取り付けられたキャップからなり、キャップの開口部から水洗トイレの手洗い付きロータンクに薬剤を供給する薬液供給具であって、薬液タンク内に残った残液を、該薬液タンク内を大気圧に開放することにより排出する残液排出手段が設けられている薬液供給具。
【請求項２】
残液排出手段として、押し倒し又はねじ切りにより薬液タンクの壁面に孔をあける摘みが薬液タンクに設けられている請求項１記載の薬液供給具。
【請求項３】
薬液タンクの上部に天板が薬液タンク側に押し込み可能に設けられ、天板の薬液タンクに対向する面に残液排出手段として差し込み用突出部が設けられ、天板が薬液タンク側に押し込まれることにより差し込み用突出部によって薬液タンクに孔があくようにした請求項１記載の薬液供給具。
【請求項４】
薬液タンクが上部開口部を有し、上部開口部を覆うように天板が設けられ、残液排出手段として、薬液タンクの上部開口部と天板に螺合部が形成されている請求項１記載の薬液供給具。
【請求項５】
残液排出手段として、薬液タンクに該薬液タンクを外部に対して開閉する弁が設けられている請求項１記載の薬液供給具。
【発明の詳細な説明】
【０００１】
【発明の属する技術分野】
本発明は、水洗トイレの手洗い付きロータンクの手洗い部に載置し、手洗い部の上方のカランから給水される水に薬剤（芳香剤、洗浄剤、殺菌剤等）を混合するのに適した薬液供給具に関する。
【０００２】
【従来の技術】
水洗トイレの手洗い付きロータンクの手洗い部に載置し、手洗い部の上方のカランから供給される水に薬剤（芳香剤、洗浄剤、殺菌剤等）を混合するために用いる薬液供給具として、特許文献１に記載されている水洗トイレ用薬剤供給具が知られている。この薬剤供給具は、液状の薬剤を収容する薬液タンク（薬剤容器）の底部に薬剤の導出孔を設け、その導出孔から薬剤を含浸体に導出して含浸させると共に、その含浸体が、カランから手洗い部に供給された水の流れに晒されるようにし、含浸体に含まれていた薬剤が水に溶解し、ロータンク内に流下するようにしたものである。
【０００３】
【特許文献１】特開２００１−３４２６６６号
【０００４】
【発明が解決しようとする課題】
上述の薬剤供給具は構造的に複雑であり、製造コストが高くつく。これに対し、より単純な機構の薬液供給具１００ｘとしては、図６に示すように、液状の薬剤Ａを収容する薬液タンク１と薬液タンク１の底部開口部２に取り付けたキャップ３からなり、キャップ３に薬液供給ノズル４と足６を設けたものが考えられる。薬液供給ノズル４の先端開口部５には、薬剤Ａが、表面張力と薬液タンク１内が弱い負圧状態になることにより保持される。
【０００５】
この薬液供給具１００ｘを、ロータンクの手洗い部２０の吸水口２１上に載置し、水洗トイレの水をフラッシュさせることにより、カランから手洗い部２０に矢印のように水Ｗが供給されると、その水Ｗは薬剤Ａを保持した薬液供給ノズル４を洗うようにしてロータンク内に流下する。したがって、この薬液供給具１００ｘによれば、単純な機構で、カランからの給水の度に薬剤Ａをロータンク内に混入させることが可能となる。
【０００６】
薬液タンク１内は、ロータンク内へ供給された薬剤Ａの量に応じて負圧になるが、薬液供給ノズル４の先端開口部５に付着していた薬剤の希釈液、水又は空気がその先端開口部５から直ちに薬液タンク１内に入るので、薬液タンク１内は弱い負圧状態に戻る。以降、カランから給水される度にこの作用が繰り返され、薬剤Ａがロータンク内に混入する。
【０００７】
しかしながら、前述のように、薬剤を含浸させた含浸体を手洗い部の水の流れに晒し、含浸体に含浸させていた薬剤を水に溶解させ、ロータンク内に流下させる場合でも、図６に示した薬液供給具１００ｘのように、薬液タンク１の底部に設けられた薬液供給ノズル４から薬剤Ａをロータンク内に混入する場合でも、薬剤Ａの供給後に薬液タンク１が負圧になることにより、薬液タンク１内に水が入り、薬剤Ａは希釈されていく。そのため、薬液供給具１００ｘの使用を重ねていくと、最後の方では、薬液タンク１内には十分な薬効をもたない希釈液が残る。
【０００８】
薬液タンク１内にこのような希釈液が残ると、薬液タンク１あるいは薬液供給具１００ｘ全体が廃棄され、新たなものに付け替えられるので、残液の廃液が必要となる。この残液の廃液には、手で薬液タンク１を押したり、逆さにしたり、薬液タンク１を薬液供給具１００ｘから取り外したりするなどの手間がかかり、残液が手に付着したり、ロータンクの手洗い部を汚すという問題が生じる。
【０００９】
これに対し、本発明は、水洗トイレの手洗い付きロータンクの手洗い部に載置することにより、ロータンク内に薬剤を供給することができ、かつ使用後に薬液タンク内に残留する希釈残液を簡単に廃液することのできる薬液供給具を提供することを目的とする。
【００１０】
【課題を解決するための手段】
本発明者は、薬液の供給後に薬液タンクが負圧になることによりその薬液タンク内に水が入り、薬液が希釈されていく薬液供給具において、薬液タンクを薬液供給具に取り付けた状態で、薬液タンク内が大気圧に開放されるようにすると、薬液タンク内の残液を極めて容易に、かつ手やロータンクの手洗い部を汚すことなく、ロータンク内に廃液できることを見出した。
【００１１】
即ち、本発明は、液状の薬剤を収容する薬液タンク及び薬液タンクの底部開口部に取り付けられるキャップからなり、キャップの開口部から水洗トイレの手洗い付きロータンクに薬剤を供給する薬液供給具であって、薬液タンク内に残った残液を、該薬液タンク内を大気圧に開放することにより排出する残液排出手段が設けられている薬液供給具を提供する。
【００１２】
【発明の実施の形態】
以下、図面を参照しつつ、本発明を詳細に説明する。なお、各図中、同一符号は同一または同等の構成要素を表している。
【００１３】
図１は、本発明の一態様の薬液供給具１００Ａの斜視図（ａ）と、この薬液供給具１００Ａの作用を示す断面図（ｂ）、（ｃ）である。
【００１４】
この薬液供給具１００Ａは、トイレ用芳香剤、洗浄剤、殺菌剤等の液状の薬剤Ａを収容する薬液タンク１と、薬液タンク１の底部開口部２に取り付けられたキャップ３からなっている。キャップ３には薬液供給ノズル４と足６が該キャップ３に一体的に設けられ、薬液供給ノズル４の先端開口部５には、薬剤Ａが表面張力により保持される。また、薬液タンク１の天面には、残液排出手段として、押し倒し又はねじ切りにより薬液タンク１の壁面に孔１２をあける摘み１１が設けられ、さらに薬液タンク１上には、着脱自在に天板１０Ａが設けられている。
【００１５】
摘み１１それ自体を押し倒し又はねじ切ることにより薬液タンク１の壁面に孔１２があくようにするためには、例えば、薬液タンク１の形成素材として、ポリプロピレン、ポリエチレン、ポリエチレンテレフタレート等を使用する場合に、摘み１１の形成素材として、薬液タンク１の形成素材よりも硬いポリプロピレン、ポリエチレン、ポリエチレンテレフタレート等を使用する。あるいは薬液タンク１の孔１２の開口部位に予めハーフカットを施しておく。また、薬液タンク１と摘み１１に同一の形成素材を使用する場合に、図２に示すように、摘み１１の基部周囲の薬液タンク１に薄肉部１ａを形成してもよい。
【００１６】
天板１０Ａは、本発明において、必要に応じて設けられる。天板１０Ａを設けると、カランの水が薬液供給具１００Ａの真上から供給される場合に、水が薬液タンク１に直接的に当たることを防止し、それにより、薬液タンク１からの薬剤Ａの供給量を、水温あるいは気温の変動によらず、安定化させることができるので好ましい。また、カランから供給された水は天板１０Ａにそって放射状に流れ、美しい水のベールの外観を呈するので、薬液供給具の使用感を向上させる点からも好ましい。
【００１７】
本発明において、薬剤Ａとしては、粘度５〜１０００ｍＰａ・ｓ（２０℃）に調整したものを使用し、薬液供給ノズル４の先端開口部５の孔径は１〜５ｍｍとすることが好ましい。薬剤Ａの粘度が１０００ｍＰａ・ｓを超えるか、又は先端開口部５の孔径が１ｍｍよりも狭いと、薬液タンク１から薬液供給ノズル４の先端にまで薬剤Ａが導出されにくくなる。反対に薬剤Ａの粘度が５ｍＰａ・ｓよりも低いか、又は先端開口部５の孔径が５ｍｍよりも広いと、先端開口部５から薬剤Ａが過度に漏出し易くなる。
【００１８】
この薬液供給具１００Ａの使用方法としては、まず、薬剤Ａが薬液タンク１に収容されている状態おいて、薬液供給具１００Ａを水洗トイレの手洗い付きロータンクの手洗い部２０の吸水口２１上に載置する（図１（ｂ））。この場合、薬液供給ノズル４を吸水口２１に挿入する。なお、ロータンクの吸水口２１上にカランが設けられ、薬液タンク１の上方から水が供給される場合について、以下に説明するが、ロータンクの吸水口２１上にはカランがなく、したがって、ロータンクの吸水口２１に薬液供給ノズル４を挿入した場合に、薬液タンク１の側方のカランから水が供給される場合でも、この薬液供給具１００Ａは使用することができる。
【００１９】
薬液供給具１００Ａを手洗い部２０に載置後、水洗トイレの水がフラッシュされ、カランから水が供給されると、図１（ｂ）のように、水Ｗは、まず、天板１０Ａに沿って放射状に流れ、次いで薬液タンク１の側方を通って手洗い部２０に流れ、吸水口２１内に流れ込み、さらに薬液供給ノズル４に沿って流下し、その先端開口部５を洗うように流れ、ロータンク内に入る。したがって、先端開口部５に保持されていた薬剤Ａが水Ｗでさらわれ、ロータンク内に混入することとなる。
【００２０】
カランからの給水が止まると薬液供給ノズル４の先端開口部５に保持されている薬剤Ａをさらう水の流れがなくなり、ロータンク内への薬剤Ａの供給も止まる。薬液タンク１内は、ロータンク内に供給された薬剤Ａの量に応じて負圧になるが、先端開口部５に付着していた薬剤の希釈液、水又は空気が先端開口部５から直ちに薬液タンク１内に入るので、薬液タンク１内は弱い負圧状態に戻り、カランからの給水前と同様に薬液供給ノズル４の先端開口部５には薬剤Ａが保持される。
【００２１】
以降、カランから給水される度にこの作用が繰り返され、薬剤Ａがロータンク内に混入する。
【００２２】
こうしてカランからの給水が繰り返され、薬液タンク１内の薬剤Ａが次第に少なくなると、それに伴い薬液タンク内１の薬剤Ａは希釈され、最後には十分な薬効を得られない程度に希釈された液が残る。薬液タンク１からこのように希釈された残液を排出する方法としては、天板１０Ａを薬液タンク１から外し、摘み１１を押し倒し又はねじ切ることにより薬液タンク１の天面に孔１２を開ける。これにより、薬液タンク１内が大気圧に開放され、残液がロータンク内に一気に廃液される。
【００２３】
この薬液供給具１００Ａは極めて構成が簡易であり、構成部品の点数が少ない。摘み１１を有する薬液タンク１や、薬液供給ノズル４と一体になっているキャップ３や、天板１０Ａは、それぞれプラスチック成型により容易に製造することができる。したがって、この薬液供給具１００Ａはローコストに得ることができる。また、カランからの給水により確実に薬剤Ａをロータンク内に混入させることができ、その際に薬剤Ａが手洗い部２０に広がることもないので、手洗い部２０が薬剤Ａで汚れることもない。さらに、この薬液供給具１００Ａによれば、使用済の残液も手を汚すことなく、容易にロータンク内に排出することができるので、残液処理が極めて容易となる。
【００２４】
本発明において、残液排出手段は種々の態様をとることができる。例えば、図３は、本発明の異なる態様の薬液供給具１００Ｂの作用を説明する断面図（ａ）、（ｂ）、（ｃ）である。
【００２５】
この薬液供給具１００Ｂは、薬液タンク１と、薬液タンク１の底部開口部２に取り付けられたキャップ３からなり、キャップ３には薬液供給ノズル４と足６が該キャップ３に一体的に設けられ、薬液供給ノズル４の先端開口部５には、薬剤Ａが表面張力により保持される点では、上述の図１の薬液供給具１００Ａと同様であるが、薬液タンク１の上部には天板１０Ｂが、薬液タンク１の頂部の立壁に対して、押し込みと引き出しが可能となるように嵌合しており、天板１０Ｂの薬液タンク１に対向する面には、残液排出手段として差し込み用突出部１３が設けられ、薬液タンク１の頂部の立壁と嵌合する天板１０Ｂの壁の基部には孔１４が開けられている点が異なっている。
【００２６】
天板１０Ｂを押し込みと引き出しが可能となるように設ける具体的構成としては、例えば、ねじ込み、スライド押し込み等とする。
【００２７】
また、差し込み用突出部１３は、先端が鋭角なものが好ましい。その場合、差し込み用突出部１３の形成素材は、天板１０Ｂと同質材とすることができる。
【００２８】
この薬液供給具１００Ｂの使用方法に関し、まず、薬剤Ａが薬液タンク１に収容されている状態において、薬液供給具１００Ｂを水洗トイレの手洗い付きロータンクの手洗い部２０の吸水口２１上に載置する点では上述の薬液供給具１００Ａと同様である（図３（ａ））。これにより、水洗トイレの水がフラッシュされ、カランから水が供給される度にカランから供給された水が薬液供給ノズル４の先端開口部５を洗うように流れ、そこに保持されていた薬剤Ａが水でさらわれ、ロータンク内に混入する。ロータンク内に供給された薬剤Ａの量に応じて薬液タンク１内は負圧になり、先端開口部５に付着していた希釈薬剤又は水と空気が薬液タンク１内に入り、次第に薬液タンク１内の薬剤Ａが少なくなり、最後には、十分な薬効を得られない程度に希釈された液が残る。
【００２９】
この薬液供給具１００Ｂでは、こうして薬液タンク１内に残った残液を排出する際に、まず、天板１０Ｂを薬液タンク１側に押し込むことにより差し込み用突出部１３で薬液タンク１に孔１５をあける（図３（ｂ））。次いで、天板１０Ｂを元の位置に引き出し、天板１０Ｂに形成されている孔１４と薬液タンク１に開けた孔１５とを連通させる（図３（ｃ））。これにより、薬液タンク１内が大気圧に開放され、残液がロータンク内に一気に廃液される。
【００３０】
したがって、この薬液供給具１００Ｂによっても、使用済の残液を手を汚すことなく、容易にロータンク内に排出することができ、残液処理が極めて容易となる。
【００３１】
図４は、さらに異なる残液排出手段を有する薬液供給具１００Ｃの断面図（ａ）、（ｂ）である。
【００３２】
この薬液供給具１００Ｃでは、上述の薬液供給具に対し、薬液タンク１が上部開口部１６を有し、上部開口部１６を覆うように天板１０Ｃが設けられ、薬液タンク１の上部開口部１６の周壁と、天板１０Ｃとが螺合している点が異なっている。また、薬液タンク１の上部開口部１６の周壁と螺合する天板１０Ｃの立壁の基部には孔１４が開けられている。さらに、薬液タンク１とキャップ３は、螺合により着脱自在に取り付けられている（図４（ａ））。
【００３３】
この薬液供給具１００Ｃの使用方法において、ロータンク内に薬剤Ａを混入する作用は、上述の薬液供給具１００Ａ、１００Ｂと同様であるが、薬液供給具１００Ｃの使用後に薬液タンク１内に残った残液を排出する際には、天板１０Ｃと薬液タンク１との螺合を緩める（図４（ｂ））。これにより薬液タンク１内が大気圧に開放され、残液がロータンク内に一気に廃液される。
【００３４】
したがって、この薬液供給具１００Ｃによっても、使用済の残液を手を汚すことなく、容易にロータンク内に排出することができ、残液処理が極めて容易となる。また、この薬液供給具１００Ｃにおいては、天板１０Ｃと薬液タンク１との螺合を再度締めることができるので、薬液タンク１から天板１０Ｃを取り外し、上部開口部１６から薬剤Ａを補充した後、天板１０Ｃと薬液タンク１とを再度螺合して締めることにより、薬液供給具１００Ｃの再使用が可能となる。あるいは、薬液が充填され、その上部開口部と底部開口部とがそれぞれフィルム等でシールされている付替え用の薬液タンクを用意することにより、その付替え用の薬液タンクにそれまで使用していた薬液供給具１００Ｃのキャップ３と天板１０Ｃを取り付け、薬液供給具１００Ｃを再使用可能としてもよい。
【００３５】
図５の薬液供給具１００Ｄは、上述の薬液供給具１００Ａの摘み１１に代えて、薬液タンク１を外部に対して開閉する弁１７を設けたものである。
【００３６】
この薬液供給具１００Ｄは、使用時には弁１７を閉じる。これにより、上述の例と同様にロータンク内に薬剤を混入することができる（図５（ａ））。薬液供給具１００Ｄの使用後に薬液タンク１内に残った残液を排出する際には、弁１７を開ける（図５（ｂ））。これにより薬液タンク１内が大気圧に開放され、残液がロータンク内に一気に廃液される。
【００３７】
以上、図示した態様は、いずれも薬液タンク１と、薬液供給ノズル４を有するキャップ３からなる薬液供給具に、残液廃液手段を設けたものであるが、本発明はこれに限られない。薬液供給ノズル４を有するキャップ３に代えて、薬液タンクから導出した薬剤を含浸させる含浸体を保持したキャップを設け、その含浸体が手洗い部の水の流れに晒されることにより薬剤がロータンク内に供給されるようにした薬液供給具にも残液廃液手段を設け、本発明の一態様とすることができる。
【００３８】
【発明の効果】
本発明の薬液供給具によれば、水洗トイレの手洗い付きロータンクの手洗い部に載置することにより、ロータンク内に薬剤を供給することができ、かつ薬液タンク内が負圧になるために使用後に薬液タンク内に残留する希釈残液を、手を汚すことなく簡単に廃液することができる。
【図面の簡単な説明】
【図１】薬液供給具の斜視図（ａ）、及びこの薬液供給具の作用を示す断面図（ｂ）、（ｃ）である。
【図２】薬液供給具の断面図である。
【図３】異なる態様の薬液供給具の作用を示す断面図（ａ）、（ｂ）、（ｃ）である。
【図４】異なる態様の薬液供給具の作用を示す断面図（ａ）、（ｂ）である。
【図５】異なる態様の薬液供給具の作用を示す断面図（ａ）、（ｂ）である。
【図６】薬液供給具の斜視図（ａ）、及びロータンクの手洗い部に載置した薬液供給具の断面図（ｂ）である。
【符号の説明】
１　　薬液タンク
２　　薬液タンクの底部開口部
３　　キャップ
４　　薬液供給ノズル
５　　先端開口部
１０Ａ、１０Ｂ、１０Ｃ　　天板
１１　　摘み
１２　　孔
１３　　差し込み用突出部
１４　　孔
１５　　天板に形成された孔
１６　　薬液タンクの上部開口部
１７　　弁
２０　　手洗い部
１００Ａ、１００Ｂ、１００Ｃ、１００Ｄ　薬液供給具
Ａ　　薬剤
【図１】
2004132096.tif 000003
【図２】
2004132096.tif 000004
【図３】
2004132096.tif 000005
【図４】
2004132096.tif 000006
【図５】
2004132096.tif 000007
【図６】
2004132096.tif 000008